【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
空気流に投薬するための修正された呼吸装置であって、上記修正された呼吸装置が：
圧縮空気供給源からの供給空気のために好適な調整器の一つを包含し、その調整器がスキューバ装置、航空機用、ガスマスク、危険環境、登山、動力補助付き人工呼吸装置および他の同様な装置、スノーケルまたはその部品、再呼吸器具または自己保持型呼吸装置での使用に適用される呼吸装置；
治療剤を貯蔵および放出するように構成された薬物チャンバー；
チャンバーおよび呼吸装置のインテークエヤー通路の間の供給通路；および
治療剤をチャンバーからインテークエヤー通路内へ選択的に放出するための解放手段を包含している、修正された呼吸装置。
【請求項２】
呼吸装置がスキューバダイビングのための第２段階の調整器である、請求項１に記載の修正された呼吸装置。
【請求項３】
呼吸装置がスノーケルまたはその部分である、請求項１に記載の修正された呼吸装置。
【請求項４】
呼吸装置が自己保持型呼吸装置（“ＳＣＢＡ”）で消防および救助、工業、造船、航海、鉱業、登山、危険環境、飛行機および／またはより高いまたはより低い大気圧力内での使用に適している、請求項１に記載の修正された呼吸装置。
【請求項５】
薬物チャンバーが水、泥、埃または他の汚染物質の流入に抵抗するためにシールされている、請求項１に記載の修正された呼吸装置。
【請求項６】
治療剤がコンテナー内に収容されており、上記コンテナーが薬物チャンバー内に配置されている、請求項５に記載の修正された呼吸装置。
【請求項７】
薬物チャンバーが呼吸装置と一体に形成されている、請求項１に記載の修正された呼吸装置。
【請求項８】
薬物チャンバーが呼吸装置と取り外し得る係合状態に形成されている、請求項１に記載の修正された呼吸装置。
【請求項９】
更にチャンバー内の圧力を周囲の圧力と実質的に均等化するためのバランス手段を包含している、請求項２に記載の修正された呼吸装置。
【請求項１０】
治療剤収容のためのコンテナーが加圧されたキャニスターである、請求項６に記載の修正された呼吸装置。
【請求項１１】
加圧されたキャニスターがレリーズバルブを備え、このバルブが治療剤放出のために圧力作動式である、請求項１０に記載の修正された呼吸装置。
【請求項１２】
治療剤がアルブテロール、サルブタノール、アドレナリン、ベコナーゼまたはグルコースの１または２以上である、請求項１に記載の修正された呼吸装置。
【請求項１３】
コンテナーがカプスル、ガラス瓶、ゼラチンカプスルまたはブリスターパックを包含している、請求項６に記載の修正された呼吸装置。
【請求項１４】
供給通路がインテーク空気通路または通路に沿い配置されているチャンバーにより形成されている、請求項１に記載の修正された呼吸装置。
【請求項１５】
供給通路が孔、チャンネルまたは開口である、請求項１に記載の修正された呼吸装置。
【請求項１６】
供給通路がチャンバーを通るインテークエヤーの幾らかまたは全てを方向付けるように構成されている迂回路である、請求項１５に記載の修正された呼吸装置。
【請求項１７】
供給通路が孔、チャンネルまたは開口を開放および閉塞するように操作可能なバルブ手段を包含している、請求項１５に記載の修正された呼吸装置。
【請求項１８】
バルブ手段がスライドロックである、請求項１７に記載の修正された呼吸装置。
【請求項１９】
スライドロックが意図していない作動を阻止するためのロック手段を備えている、請求項１８に記載の修正された呼吸装置。
【請求項２０】
ロック手段がロックナットである、請求項１９に記載の修正された呼吸装置。
【請求項２１】
供給通路がチャンバーおよびインテーク空気通路の間の２または３以上の分離通路により形成されている、請求項１６に記載の修正された呼吸装置。
【請求項２２】
解放手段が加圧キャニスターを移行させる移行機構作動のための回動可能なダイヤルまたは制御器またはキャニスターと協働しそれにより加圧キャニスターの解放バルブを作動させるシートを包含している、請求項１０に記載の修正された呼吸装置。
【請求項２３】
移行手段が薬物チャンバー内に配置されたカム作動スライドである、請求項２２に記載の修正された呼吸装置。
【請求項２４】
回動可能ダイヤルまたは制御器が治療剤の計測値を動かすための機構を作動させかつインテーク空気通路内に供給するために供給通路内に配置されている、請求項１に記載の修正された呼吸装置。
【請求項２５】
解放手段がキャニスター移行のための圧力作動ボタンまたはキャニスターと協働して治療剤を加圧コンテナーの解放バルブを通して供給するシートを備えている、請求項１０に記載の修正された呼吸装置。
【請求項２６】
シートまたはキャニスターの移行が供給通路を提供または解放するために１または２以上の開口を連通させる、請求項２５に記載の修正された呼吸装置。
【請求項２７】
圧力作動ボタンの圧縮または回転可能ダイヤルまたは制御器の回転が放出滑降傾斜路を非作動位置から放出位置へ回す、請求項２２、２４または２５の何れかに記載の修正された呼吸装置。
【請求項２８】
放出滑降傾斜路の回転が１または２以上の開口を開放して放出通路を提供する、請求項２７に記載の修正された呼吸装置。
【請求項２９】
更に、薬物チャンバーから放出された治療剤の服用数の、少なくとも大体、を表示するための計数手段を備えている、請求項１に記載の修正された呼吸装置。
【請求項３０】
計数手段がそれを通して見得る可動印付きのチャンバー壁内の１または複数の開口で形成されており、上記可動印がチャンバーから放出された服用量の数またはチャンバー内の残留治療剤のレベルの何れかまたは双方の表示を提供している、請求項２９に記載の修正された呼吸装置。
【請求項３１】
マウスピースがユーザーの歯の間の分離を提供するように形成されている、請求項１に記載の修正された呼吸装置。
【請求項３２】
マウスピースが上歯を受けるための上シールドおよび下歯を受けるための下シールドおよび上下シールド間に位置しているインレット開口を備えている、請求項３１に記載の修正された呼吸装置。
【請求項３３】
空気流への投薬に使用するための薬物チャンバーであって：
治療剤を収容した内側チャンバーを区画している外側ハウジング；
空気伝達器具に対して薬物チャンバーを固定するための装着手段であって、上記伝達器具が圧縮空気供給源からの供給空気のために好適な調整器の一つを包含し、その調整器がスキューバ装置、航空機用、ガスマスク、危険環境、登山、動力補助付き人工呼吸装置および他の同様な装置、スノーケルまたはその部品、再呼吸器具または自己保持型呼吸装置での使用に適用される、装着手段；
内側チャンバーから外側への少なくとも一つの放出通路であって治療剤を空気伝達器具内の空気通路に放出可能とされている通路；および
内側チャンバーから治療剤を放出するための放出手段を包含している、薬物チャンバー。
【請求項３４】
外側ハウジングが金属、プラスチックまたはポリビニール  クロライドで形成されている、請求項３３に記載の薬物チャンバー。
【請求項３５】
内側チャンバーが水、泥、埃または他の汚染物質の侵入に抵抗するためにシールされている、請求項３３に記載の薬物チャンバー。
【請求項３６】
外側ハウジングが２個の内側係合可能部分で形成されている、請求項３３に記載の薬物チャンバー。
【請求項３７】
２個の部分がねじ噛合可能である、請求項３６に記載の薬物チャンバー。
【請求項３８】
治療剤がサルブタノール、ベコナーゼ、アドレナリン、アミノフィリンまたはグルコースの１または２以上である、請求項３３に記載の薬物チャンバー。
【請求項３９】
治療剤はレリーズバルブを有する加圧コンテナー内に保持され、加圧可能コンテナーは外側ハウジングの内側に配置可能である、請求項３３に記載の薬物チャンバー。
【請求項４０】
装着手段はねじおよび／またはガイドタブのような固定または配置器具のための１または２以上の凹部を包含している、請求項３３に記載の薬物チャンバー。
【請求項４１】
少なくとも一つの放出通路は加圧コンテナーのレリーズバルブと連通しているアウトレットチャンネルである、請求項３３に記載の薬物チャンバー。
【請求項４２】
解放手段はキャニスターを移行させるカム付き機構の作動のための回転可能ダイヤルを備え、かつレリーズバルブを動作させてそれにより治療剤の服用量を放出させる、請求項３９に記載の薬物チャンバー。
【請求項４３】
カム付き機構はスライド可能シートを動作させて加圧キャニスターのレリーズバルブを起動する、請求項４２に記載の薬物チャンバー。
【請求項４４】
解放手段はキャニスターまたはシートを動かしかつレリーズバルブを起動させるための圧力作動ボタンを備えている、請求項３９に記載の薬物チャンバー。
【請求項４５】
解放手段が空気通路にパウダーを放出するための機構を包含している、請求項３３に記載の薬物チャンバー。
【請求項４６】
機構がブリスターパックを進めかつ開くための歯車付き構造を包含してパック内に収容されているパウダー剤を空気通路へ提供する、請求項４５に記載の薬物チャンバー。
【請求項４７】
機構がパウダー剤を空気通路へ分与するための回転可能分与器を包含している、請求項４５に記載の薬物チャンバー。
【請求項４８】
機構が更に放出通路を開放または閉塞するバルブを包含している、請求項４５に記載の薬物チャンバー。
【請求項４９】
空気流がユーザーの口または鼻内へ放出できるようにされている、請求項３３に記載の薬物チャンバー。
【請求項５０】
外側ハウジングが表示手段を備え、この表示手段が内側チャンバー内の治療剤の残量および／またはそれまでに分与された治療剤服用回数の少なくとも大体を表示するためのものである、請求項３３に記載の薬物チャンバー。
【請求項５１】
外側ハウジングが更にチャンバー内への加圧空気供給を受領するためのインレット通路を包含している、請求項３３に記載の薬物チャンバー。
【請求項５２】
外側ハウジングは更にチャンバー内の圧力がチャンバーの外側圧力を越えた時内側チャンバーから空気を放出するためのアウトレットバルブを包含している、請求項５１に記載の薬物チャンバー。
【請求項５３】
外側ハウジングが温度変動に抵抗するために遮断されている、請求項３３に記載の薬物チャンバー。
【請求項５４】
呼吸装置内の空気流に投薬する方法であって、上記呼吸装置が圧縮空気供給源からの供給空気のために好適な調整器の一つを包含し、その調整器がスキューバ装置、航空機用、ガスマスク、危険環境、登山、動力補助付き人工呼吸装置および他の同様な装置、スノーケルまたはその部品、再呼吸器具または自己保持型呼吸装置での使用に適用され、この方法が治療剤を収容したチャンバーを呼吸装置に対して装着しかつ治療剤の１または２以上の服用量を吸入空気のためのインレット通路内に導入する工程を包含している、方法。
【請求項５５】
チャンバーの装着が呼吸装置と一体にチャンバーを形成する工程を包含している、請求項５４に記載の方法。
【請求項５６】
チャンバーの装着が分離したチャンバーを形成しかつそれを呼吸装置に対して反転装着する工程を備えている、請求項５４に記載の方法。
【請求項５７】
更に治療剤を保持したコンテナーをチャンバーに位置決めする工程を備えている、請求項５４に記載の方法。
【請求項５８】
コンテナーが加圧コンテナーである、請求項５７に記載の方法。
【請求項５９】
治療剤の１または２以上の服用量を導入する工程がボタンの加圧または制御ダイヤルまたはノブの回転による薬剤解放機構の起動工程を備えている、請求項５４に記載の方法。
【請求項６０】
インレット通路内に治療剤の１または２以上の服用量導入の工程が治療剤をチャンバーからインレット通路内へ直接にまたはチャンバーから放出空気通路を通してインレット通路へ導入する工程を包含している、請求項５４に記載の方法。
【手続補正２】
【補正対象書類名】明細書
【補正対象項目名】００１１
【補正方法】変更
【補正の内容】
【００１１】
一つの形態において、本発明は空気流に投薬するための修正された呼吸装置であって、上記修正された呼吸装置は：
圧縮空気供給源からの供給空気のために好適な調整器の一つを包含し、その調整器がスキューバ装置、航空機用、ガスマスク、危険環境、登山、動力補助付き人工呼吸装置および他の同様な装置、スノーケルまたはその部品、再呼吸器具または自己保持型呼吸装置での使用に適用される呼吸装置；
治療剤を貯蔵および放出するように構成された薬物チャンバー；
チャンバーおよび呼吸装置のインテークエヤー通路の間の供給通路；および
治療剤をチャンバーからインテークエヤー通路内へ放出通路を通して選択的に放出するための解放手段を包含している。
【手続補正３】
【補正対象書類名】明細書
【補正対象項目名】００４３
【補正方法】変更
【補正の内容】
【００４３】
更なる形態において、本発明は空気伝達器具内の空気流への投薬に使用するための薬物チャンバーに存在し、上記伝達器具は圧縮空気供給源からの供給空気のために好適な調整器の一つを包含し、その調整器がスキューバ装置、航空機用、ガスマスク、危険環境、登山、動力補助付き人工呼吸装置および他の同様な装置、スノーケルまたはその部品、再呼吸器具または自己保持型呼吸装置での使用に適用され、この薬物チャンバーは：
治療剤を収容した内側チャンバーを区画している外側ハウジング；
空気伝達器具に対して薬物チャンバーを固定するための装着手段；
内側チャンバーから外側への少なくとも一つの放出通路であって治療剤を空気伝達器具内の空気通路に放出可能とされている通路；および
内側チャンバーから治療剤を放出するための放出手段を包含している。
【手続補正４】
【補正対象書類名】明細書
【補正対象項目名】００４６
【補正方法】変更
【補正の内容】
【００４６】
治療剤は上記開放バルブ付きの加圧コンテナー内に保持されている。治療剤は固形体、液体またはガスであり得る。
【手続補正５】
【補正対象書類名】明細書
【補正対象項目名】００５３
【補正方法】変更
【補正の内容】
【００５３】
更に別の形態において、本発明は呼吸装置内の空気流に投薬する方法に存在し、この呼吸装置が圧縮空気供給源からの供給空気のために好適な調整器の一つを包含し、その調整器がスキューバ装置、航空機用、ガスマスク、危険環境、登山、動力補助付き人工呼吸装置および他の同様な装置、スノーケルまたはその部品、再呼吸器具または自己保持型呼吸装置での使用に適用され、この方法は：
治療剤を収容したチャンバーを呼吸装置に対して装着し；かつ
治療剤の１または２以上の服用量を吸入空気のためのインレット通路内に導入する工程を包含している。